(57)【要約】【課題】  開封片と接着する部分に複数の半切れ部を有し、開封片を切り離すことで開封する容器において、開封片と接着する部分の接着性を向上させる容器を提供する。【解決手段】  開封片（２）と接着する部分に複数の半切れ部（６）を有し、開封片（２）を切り離すことで開封する容器（１）において、半切れ部（６）が施された部分に突起部（７）が施されてなることを特徴とする。【選択図】  図１
2006056578.tif 000002
【特許請求の範囲】
【請求項１】
開封片と接着する部分に複数の半切れ部を有し、前記開封片を切り離すことで開封する容器において、前記半切れ部が施された部分に突起部が施されてなることを特徴とする容器。
【請求項２】
ロール状に巻回された包装用フィルムを収納する容器本体と、前記容器本体の開口部を被包する容器蓋と、を有し、前記容器蓋は、前記容器本体の一頂縁に連接し、前記一頂縁を軸として前記容器本体に対して回動可能な容器であって、
前記容器蓋は、前記容器の開封部となる開封片と連接し、該連接した開封片により前記容器本体と接着し、
前記容器本体は、前記開封片と接着する部分に複数の半切れ部を有し、該半切れ部が施された部分に突起部が施されてなることを特徴とする容器。
【請求項３】
前記突起部は、前記複数の半切れ部を全て覆うように１つの突起部にて施されてなることを特徴とする請求項１または２記載の容器。
【請求項４】
前記突起部は、前記複数の半切れ部を個別に覆うように複数の突起部にて施されてなることを特徴とする請求項１または２記載の容器。
【請求項５】
前記突起部は、エンボス加工が施されてなることを特徴とする請求項１から４の何れか１項に記載の容器。
【発明の詳細な説明】
【技術分野】
【０００１】
本発明は、開封片と接着する部分に複数の半切れ部を有し、開封片を切り離すことで開封する容器に関し、特に、ロール状に巻かれた被包装体、例えば、ラップフィルムに代表される樹脂製フィルムやロール紙、アルミホイル等を包装するための包装用フィルムを収納するために好適な容器に関するものである。
【背景技術】
【０００２】
従来から、種々の型式のラップフィルムを包装するための容器があるが、その多くは、厚紙製であり、円筒状の紙管にロール状に巻回されたラップフィルムを収納する容器本体と、容器本体に一体的に設けられた蓋体と、を有して構成されている。なお、一般的に、容器本体から引き出されたラップフィルムを切断するための切断部が蓋体の前面壁の裏面に取り付けられている。
【０００３】
このような容器を用いる場合には、蓋体を容器本体から持ち上げ、容器本体内に収納されているロール状のラップフィルムの先端部を露出させ、該露出させたフィルム先端部を指で引き出し、蓋体を閉じ、蓋体の前面壁の裏面に取り付けられた切断部により、ラップフィルムを切断することになる。
【０００４】
なお、一般的に、容器本体には、印刷文字等のブロッキングを防止するために、容器本体に施された半切れ部（玉抜き部分）を除いて剥離オーバープリントニスで表面を塗工させることになる。そして、容器本体と蓋体とを密閉させるためには、半切れ部に線糊を施し、該施した線糊を介して容器本体と、蓋体に連接された開封片と、を接着させることになる。そして、開封片を容器本体から切り離すことで、蓋体が容器本体に対して回動可能な状態を構築することになる（例えば、特許文献１参照）。
【特許文献１】特開２０００−１７７７２８号公報
【発明の開示】
【発明が解決しようとする課題】
【０００５】
しかしながら、上記特許文献１のように、半切れ部が施された容器本体に対し線糊を施し、該施した線糊を介して容器本体と、蓋体に連接された開封片と、を接着させようとすると、半切れ部に対する圧着が困難となり、容器本体と、開封片と、の接着が困難となる虞がある。
【０００６】
本発明は、上記事情に鑑みてなされたものであり、開封片と接着する部分に複数の半切れ部を有し、開封片を切り離すことで開封する容器において、開封片と接着する部分の接着性を向上させる容器を提供することを目的とするものである。
【課題を解決するための手段】
【０００７】
かかる目的を達成するために、本発明は以下の特徴を有することとする。
【０００８】
本発明にかかる容器は、開封片と接着する部分に複数の半切れ部を有し、開封片を切り離すことで開封する容器において、半切れ部が施された部分に突起部が施されてなることを特徴とするものである。
【０００９】
また、本発明にかかる容器は、ロール状に巻回された包装用フィルムを収納する容器本体と、容器本体の開口部を被包する容器蓋と、を有し、容器蓋は、容器本体の一頂縁に連接し、一頂縁を軸として容器本体に対して回動可能な容器であって、容器蓋は、容器の開封部となる開封片と連接し、該連接した開封片により容器本体と接着し、容器本体は、開封片と接着する部分に複数の半切れ部を有し、該半切れ部が施された部分に突起部が施されてなることを特徴とするものである。
【００１０】
また、本発明にかかる容器において、突起部は、複数の半切れ部を全て覆うように１つの突起部にて施されてなることを特徴とするものである。
【００１１】
また、本発明にかかる容器において、突起部は、複数の半切れ部を個別に覆うように複数の突起部にて施されてなることを特徴とするものである。
【００１２】
また、本発明にかかる容器において、突起部は、エンボス加工が施されてなることを特徴とするものである。
【発明の効果】
【００１３】
本発明にかかる容器は、開封片と接着する部分に複数の半切れ部を有し、開封片を切り離すことで開封する容器において、半切れ部が施された部分に突起部が施されてなることで、開封片と接着する部分の接着性を向上させることが可能となる。
【００１４】
また、本発明にかかる容器は、ロール状に巻回された包装用フィルムを収納する容器本体と、容器本体の開口部を被包する容器蓋と、を有し、容器蓋は、容器本体の一頂縁に連接し、一頂縁を軸として容器本体に対して回動可能な容器であり、容器蓋は、容器の開封部となる開封片と連接し、該連接した開封片により容器本体と接着し、容器本体は、開封片と接着する部分に複数の半切れ部を有し、該半切れ部が施された部分に突起部が施されてなることで、容器本体が、開封片と接着する部分の接着性を向上させることになり、容器本体と容器蓋とを容易に密閉させることが可能となる。
【発明を実施するための最良の形態】
【００１５】
まず、図１を参照しながら、本実施形態における容器について説明する。
【００１６】
本実施形態における容器（１）は、開封片（２）と接着する部分に複数の半切れ部（６）を有し、開封片（２）を切り離すことで開封する容器（１）であり、半切れ部（６）が施された部分に突起部（７）が施されてなるものである。これにより、開封片（２）と接着する部分の接着性を向上させることが可能となるものである。
【００１７】
詳細には、ロール状に巻回された包装用フィルムを収納する容器本体（１１）と、容器本体（１１）の開口部を被包する容器蓋（１２）と、を有し、容器蓋（１２）は、容器本体（１１）の一頂縁に連接し、一頂縁を軸として容器本体（１１）に対して回動可能な容器（１）であり、容器蓋（１２）は、容器（１）の開封部となる開封片（２）と連接し、該連接した開封片（２）により容器本体（１１）と接着し、容器本体（１１）は、開封片（２）と接着する部分に複数の半切れ部（６）を有し、該半切れ部（６）が施された部分に突起部（７）が施されてなるものである。これにより、容器本体（１１）が、開封片（２）と接着する部分の接着性を向上させることになり、容器本体（１１）と容器蓋（１２）とを容易に密閉させることが可能となるものである。以下、添付図面を参照しながら、本実施形態における容器について説明する。なお、以下の実施形態においては、包装用フィルムを収納するための包装用フィルム容器を、本実施形態の容器の一例として説明する。
【００１８】
（第１の実施形態）
まず、図１から図３を参照しながら、本実施形態における包装用フィルム容器の構成について説明する。なお、図１は、包装用フィルム容器（１）の開封部分となる開封片（２）を容器蓋部（１２）から切り離す際の外観を示す斜視図である。また、図２は、開封片（２）を容器蓋部（１２）から切り離した後の包装用フィルム容器（１）の外観を示す斜視図である。また、図３は、本実施形態における包装用フィルム容器（１）の外観を示す図であって、容器蓋部（１２）を容器本体（１１）に閉蓋したものである。
【００１９】
本実施形態における包装用フィルム容器（１）は、図１〜図３に示すように、容器本体（１１）と、容器蓋部（１２）と、を有して構成され、包装用フィルム容器（１）は、略直方体形状となるように構成されている。
【００２０】
本実施形態における包装用フィルム容器（１）を使用する際は、図１に示すように、半円状の切り込み（３）の基端側の摘部（４）を摘んで開封片（２）を切取線（５）から切り離すことで、開封片（２）と容器本体（１１）との接着部である半切れ部（６）の内側の表面が層間剥離することになり、包装用フィルム容器（１）を開封することが可能となる。
【００２１】
これにより、図１に示すように、開封片（２）から切断刃（２２）が露出することになる。また、図１に示す開封片（２）を、切取線（５）から全て切り離すと、図２に示すように、切断刃（２２）の露出と共に、容器本体（１１）内に収納されているロール状の包装用フィルム（１３）も露出することになる。これにより、容器本体（１１）内に収納されている包装用フィルム（１３）を必要量だけ引き出し、該引き出した包装用フィルム（１３）を切断刃（２２）により切断することが可能となる。
【００２２】
なお、容器本体（１１）には、図２に示すように、包装用フィルム（１３）の容器本体（１１）内への巻き戻りを防止する塗布領域（１９）が設けられている。塗布領域（１９）に塗布される素材としては、包装用フィルム（１３）の容器本体（１１）内への巻き戻りを防止できるものであれば、特に限定するものではなく、例えば、剥離可能な接着剤（ストッパーニス）が適用可能である。図２に示すように、容器本体（１１）に、剥離可能な接着剤（ストッパーニス）を塗布し、塗布領域（１９）を形成することで、該形成した塗布領域（１９）により、包装用フィルム（１３）の意図しない引き出し、及び、巻き戻りを防止するとともに、包装用フィルム（１３）の先端部を容易に認識することが可能となる。
【００２３】
また、塗布領域（１９）は、図３に示すように、容器蓋部（１２）の閉蓋時に容器蓋部（１２）により容器本体（１１）が覆われる位置に設けることが好ましい。これにより、美観を損なうことのない包装用フィルム容器（１）を形成することが可能となる。
【００２４】
このように、本実施形態の包装用フィルム（１）は、容器蓋部（１２）の前面の先端縁部に、包装用フィルム（１３）を切断するための鋸刃状の切断刃（２２）が設けられ、図１に示すように、開封片（２）を切取線（５）に沿って切り離すことで切断刃（２２）が露出することになる。そして、図２に示すように、容器本体（１１）内に収納されている包装用フィルム（１３）の先端を、容器本体（１１）の前面に引き出し、包装用フィルム（１３）を引き出した状態で、図３に示すように、容器蓋部（１２）を閉蓋し、容器本体（１１）前面と、容器蓋部（１２）前面の裏面と、で挟持して包装用フィルム（１３）を切断刃（２２）に接触させたまま捻りながら容器本体（１１）の外側に引っ張ることで、包装用フィルム（１３）を切断することになる。
【００２５】
なお、本実施形態における包装用フィルム容器（１）は、図１〜図３に示すように、容器本体（１１）に設けられている半切れ部（６）の周辺に凸状のエンボス（７）が施されている。この凸エンボス（７）を半切れ部（６）の周辺に施すことで、図１に示す包装用フィルム容器（１）を密閉する際に、容器蓋部（１２）に連接された開封片（２）と、容器本体（１１）の半切れ部（６）周辺と、の接着部分に対する圧着力を向上させることになり、開封片（２）と容器本体（１１）とを容易に接着させることが可能となる。以下、図４〜図６を参照しながら、本実施形態における包装用フィルム（１）の詳細構成について説明する。なお、図４は、本実施形態における包装用フィルム容器（１）の外観を示す斜視図であって、容器本体（１１）の前面を展開したものである。また、図５、図６は、包装用フィルム容器（１）の断面の概略構成を示す図である。
【００２６】
容器本体（１１）は、図４に示すように、１つの面全体が略長方形の開口部として開放する略直方体形状を構成することになる。容器本体（１１）の開口部に対向する略長方形をなす容器本体（１１）の底面となる底面部（２９）の長縁の１つには、後面壁部（２７）が垂直に連設されている。
【００２７】
なお、後面壁部（２７）には、容器本体（１１）において長方形をなす開口部の周縁の１つである折目線（３５）を介して、容器蓋部（１２）が容器本体（１１）に対して回動可能となるように連設されている。
【００２８】
また、底面部（２９）の２つの短縁には、略正方形の側面壁部（２５、２６）がそれぞれ垂直に連設されている。また、底面部（２９）の他の長縁には、折目線（３４）を介して前面壁部（２０）が連設されている。なお、前面壁部（２０）の底面部（２９）に連設されていない長縁には、折目線（３３）を介して保持面壁部（２１）が連設されている。また、前面壁部（２０）の２つの短縁には、貼着片（２３、２４）がそれぞれ垂直に連設されている。
【００２９】
なお、前面壁部（２０）の外側部分には、複数の半切れ部（６）が設けられ、その複数の半切れ部（６）を囲むように前面壁部（２０）の内側部分に凹エンボス（７）が施されている。これにより、前面壁部（２０）の外側部分には、図１〜図３に示すように、半切れ部（６）の周辺に凸状のエンボス（７）が形成されることになる。
【００３０】
また、容器蓋部（１２）には、包装用フィルム（１３）を切断するための鋸刃状の切断刃（２２）が設けられており、その切断刃（２２）を覆うように、包装用フィルム容器（１）の開封部分となる開封片（２）が、容器蓋部（１２）と連設されている。なお、開封片（２）と容器蓋部（１２）とが連接される部分には、図１に示すように、開封片（２）を切り離す際の切取線（５）が施されている。また、開封片（２）には、開封片（２）と、前面壁部（２０）と、を接着した際に、前面壁部（２０）の半切れ部（６）と接触する位置に、半切れ部（６）と略同一形状の半円状の切り込み（３）が施されている。
【００３１】
また、包装用フィルム（１３）は、一定の強度を有するボール紙などで構成された円筒状の芯部材（１４）の円周にロール状に巻回されて、容器本体（１１）に収納されることになる。
【００３２】
なお、本実施形態における包装用フィルム容器（１）を図１に示す状態に組み立てる際は、容器蓋部（１２）に連接された開封片（２）と、前面壁部（２０）と、を圧着させて開封片（２）と容器本体（１１）とを接着することで、容器蓋部（１２）と容器本体（１１）とを密閉させることになる。しかしながら、切断刃（２２）が設けられる部分は、図５（ａ）に示すように、容器蓋部（１２）及び開封片（２）となる紙片（１２１）、切断刃（２２）となる金属片、容器本体（１１）となる前面壁部（２０）、保持面壁部（２１）、容器蓋部（１２）となる紙片（１２２）、の５つの層が積層されることになる。これに対し、開封片（２）と、前面壁部（２０）と、が接着する部分（接着部分）は、容器蓋部（１２）及び開封片（２）となる紙片（１２１）、前面壁部（２０）、容器蓋部（１２）となる紙片（１２２）、の３つの層が積層されることになる。このため、図５（ｂ）に示すように、開封片（２）と、前面壁部（２０）と、を圧着する際に、開封片（２）と前面壁部（２０）とが接着される部分は、切断刃（２２）が設けられる部分よりも薄い層となるため、圧着がかかりにくくなる。このため、開封片（２）と、半切れ部（６）が形成された前面壁部（２０）と、を接着することが困難となる。そこで、本実施形態における包装用フィルム容器（１）は、図１〜図３に示すように、前面壁部（２０）に設けられている半切れ部（６）の周辺に凸状のエンボス（７）を施すことで、図６（ａ）に示すように、前面壁部（２０）が開封片（２）と接着する部分（接着部分）が突出した状態を構成することになり、容器蓋部（１２）に連接された開封片（２）と、前面壁部（２０）と、を接着する際の圧着力を向上させることが可能となる。これにより、図６（ｂ）に示すように、開封片（２）と、前面壁部（２０）と、を圧着する場合には、前面壁部（２０）に施された凸エンボス（７）により、開封片（２）と前面壁部（２０）とを容易に接着させることが可能となると共に、開封片（２）と前面壁部（２０）との剥がれ易さを解消することになる。
【００３３】
（第２の実施形態）
次に、第２の実施形態について説明する。
第１の実施形態における包装用フィルム容器（１）は、図１〜図４に示すように、容器本体（１１）に設けられる複数の半切れ部（６）を全て覆うように凸状のエンボス（７）を施したが、第２の実施形態における包装用フィルム容器（１）は、図７、図８に示すように、容器本体（１１）に設けられる複数の半切れ部（６）を個別に覆うように凸状のエンボス（７）を複数施すことを特徴とするものである。このように、複数の半切れ部（６）を個別に覆うように凸状のエンボス（７）を施すことで、半切れ部（６）を個別に覆う複数の凸エンボス（７）により、開封片（２）と前面壁部（２０）とを容易に接着させることが可能となると共に、開封片（２）と前面壁部（２０）との剥がれ易さを解消することになる。なお、図７に示す第２の実施形態の包装用フィルム容器（１）は、図２に示す第１の実施形態における包装用フィルム容器（１）に対応する構成図であり、図８に示す包装用フィルム容器（１）は、図４に示す包装用フィルム容器（１）に対応する構成図である。このように、第２の実施形態における包装用フィルム容器（１）を構成する他の構成部分は、第１の実施形態と同様に構成されることになる。
【００３４】
なお、上述した実施形態は本発明の好適な実施の形態の一例であり、本発明の実施形態は、これに限定されるものではなく、本発明の要旨を逸脱しない範囲において種々の変形を施した形態で実施することは可能である。例えば、本実施形態における包装用フィルム容器（１）は、厚紙、または、ボール紙などの紙素材により形成することも可能であり、包装用フィルム容器（１）を形成する素材は、特に限定しないものとする。また、本実施形態における包装用フィルム容器（１）は、１枚の紙素材から形成したり、複数の紙素材を連接して形成したりすることも可能である。なお、包装用フィルム容器（１）は、１度折り曲げても元に戻ろうとする復元性を有している素材が好適である。また、本実施形態では、容器蓋部（１２）に切断刃（２２）を設けた構成としたが、包装用フィルム（１３）を切断することが容易となる設置位置であれば、切断刃（２２）の設置位置は特に限定しないものとする。また、上記実施形態においては、容器本体（１１）に設けられる複数の半切れ部（６）に凸状のエンボス（７）を施すことで、突起部を形成することとしたが、半切れ部（６）に対して突起部を形成できれば、特に限定しないものとする。なお、エンボス加工は、半切れ部（６）に容易に突起部を形成することが可能となることから、半切れ部（６）に凸状のエンボス（７）を施すことが好ましい。
【００３５】
また、上記実施形態においては、包装用フィルム（１３）を収納する包装用フィルム容器（１）を例として説明したが、容器（１）内に収納するものは、包装用フィルム（１３）に限定するものではなく、開封片と接着する部分に複数の半切れ部を有し、開封片を切り離すことで開封する容器に収納できるものであれば、あらゆるものを収納することは可能である。また、容器本体（１１）に設けられる複数の半切れ部（６）の形状は、特に限定するものではなく、円や楕円形状に施すことも可能である。
【産業上の利用可能性】
【００３６】
本発明にかかる容器は、開封片と接着する部分に複数の半切れ部を有し、開封片を切り離すことで開封する容器に適用可能であり、特に、ラップフィルムに代表される樹脂製フィルムやロール紙、アルミホイル等を包装するための容器に好適である。
【図面の簡単な説明】
【００３７】
【図１】第１の実施形態における包装用フィルム容器の外観を示す斜視図であり、包装用フィルム容器（１）の開封部分となる開封片（２）を容器蓋部（１２）から切り離す状態を示す図である。
【図２】第１の実施形態における包装用フィルム容器の外観を示す斜視図であり、開封片（２）を容器蓋部（１２）から切り離した後の状態を示す図である。
【図３】第１の実施形態における包装用フィルム容器の外観を示す図であり、容器蓋部（１２）を容器本体（１１）に閉蓋した状態を示す図である。
【図４】第１の実施形態における包装用フィルム容器の構成を示す図であり、容器本体（１１）の前面を展開した状態を示す図である。
【図５】包装用フィルム容器の断面の概略構成を示す図であり、容器本体に凸エンボスを施す前の状態を示す図である。
【図６】包装用フィルム容器の断面の概略構成を示す図であり、容器本体に凸エンボスを施した後の状態を示す図である。
【図７】第２の実施形態における包装用フィルム容器の外観を示す図であり、開封片（２）を容器蓋部（１２）から切り離した後の状態を示す図である。
【図８】第２の実施形態における包装用フィルム容器の構成を示す図であり、容器本体（１１）の前面を展開した状態を示す図である。
【符号の説明】
【００３８】
１    包装用フィルム容器（容器）
２    開封片
３    切り込み
４    摘部
５    切取線
６    半切れ部
７    凸エンボス（突起部）
１１    容器本体
１２    容器蓋部
１３    包装用フィルム
１４    芯部材
１９    塗布領域
２０    前面壁部
２１    保持面壁部
２２    切断刃
２３、２４    貼着片
２５、２６    側面壁部
２７    後面壁部
２９    底面部
３３、３４、３５    折目線
１２１    容器蓋部（１２）及び開封片（２）を構成する紙片
１２２    容器蓋部（１２）を構成する紙片
【図１】
2006056578.tif 000003
【図２】
2006056578.tif 000004
【図３】
2006056578.tif 000005
【図４】
2006056578.tif 000006
【図５】
2006056578.tif 000007
【図６】
2006056578.tif 000008
【図７】
2006056578.tif 000009
【図８】
2006056578.tif 000010